(57)【要約】【課題】斬新性のあるティッシュペーパー箱ケースを提供する。【解決手段】中空のケース本体を設け、該ケース上面に円形孔を設け、該孔内に環体を設けたことを特徴とする。【選択図】      図５
2007050927.tif 000002
【特許請求の範囲】
【請求項１】
中空のケース本体を設け、該ケース上面に円形孔を設け、該孔内に環体を設けたことを特徴とするティッシュ箱ケース。
【請求項２】
円形孔に代えて楕円孔を設け、該楕円孔内に楕円形の環体を設けてなる請求項１記載のティッシュ箱ケース。
【発明の詳細な説明】
【技術分野】
【０００１】  この発明は、新規な取り出し口を有するティッシュ箱ケースに関する。
【背景技術】
【０００２】  従来より、種々のティッシュ箱ケースが利用されているが、本発明にて示すように、円形もしくは楕円形の取り出し口を有するティッシュ箱ケースは見当たらない。
【発明の開示】
【発明が解決しようとする課題】
【０００３】  従来のティッシュ箱ケースはティッシュペーパー箱を収納して用いるものであるため、その取り出し口は細長い穴であり、取り出されるティッシュペーパーはやはり細長い紙巾になる。機能上は特段の問題はないものの斬新性に欠けるものであった。
本発明は以上の従来からのティッシュペーパー箱ケースに比べてより新しい取り出し口を有する斬新性に富んだ新規なるティッシュペーパー箱ケースを提供することを目的として発明されたものである。
【課題を解決するための手段】
【０００４】  課題を解決する手段として本発明は、ケース上面の孔内に環体を設けてその主要部を構成した。すなわち、中空のケース本体を設け、該ケース上面に円形孔を設け、該孔内に環体を設ける。本発明は以上の構成よりなるティッシュ箱ケースである。
【発明の効果】
【０００５】  本発明によれば、ケース上面の孔内に環体を設けたので、ティッシュペーパー箱から引き出されたティッシュペーパーはこの環体内面に沿って立ち上がり、従来法のような略長方形状にティッシュペーパーが形作られずに、略湾曲形状に立ち上がるため、ティッシュペーパーが直立してつまみやすく、視覚上も良好なる新規なティッシュペーパー箱ケースを得ることができる。なお、有底ケースとすれば、ティッシュペーパー自体を収納して利用することができる。
【発明を実施するための最良の形態】
【０００６】  以下、本発明の実施形態について説明する。
図において、１は合成樹脂製中空直方体形状のケース本体で、無底であるとともにその上面中央には円形の孔を有しており、円形の環体２がこの孔内面に固着されている。この孔の内径は該環体の外径よりわずかに小さく、従って図５に示すように環体下部はケース本体上部内面よりやや下方に位置する。また、ケース本体の上部角は曲面状に仕上げられる。３はホルダー板で、長方形板体の短辺部分を上方に折曲し、この折曲部外面適所に複数個の小半球状の突起４を一体に形成したものであり、このホルダー板の長辺方向距離は前記ケース本体の短辺方向内面距離よりわずかに大きい。また、ケース本体内面対応個所には小半球状の凹部（図示略）が形成される。
従って、図５にて示すように、ホルダー板の小突起をケースの凹部にはめ込むことにより、ホルダー板はケース内に保持される。ケース本体短辺方向内面距離はホルダー板長辺方向距離に対しわずかに小さいが、合成樹脂製のため弾力を有するので、押圧にてその距離をやや大にすることができ、凹部にホルダー板をはめ込んだ後は、ケースの復元力にてホルダー板はケースに押圧保持される。このホルダー板にてケース本体内に収納されたティッシュペーパー箱の保持が可能である。
本発明の使用に際しては、まず市販のティッシュペーパー箱の取り出し口を開口してティッシュペーパーをつまみ出しておく。次ぎにケース本体の底部からティッシュペーパー箱の取り出し口を上方にして挿入し、ホルダー板の突起を本体ケース内面の凹部にはめ込んでティッシュペーパー箱を保持させる。これによりティッシュペーパーはケース本体上部の環体から上方に突出することとなり、このティッシュペーパーをつまみ出すと、このティッシュペーパーは環体内面に沿って引き出されるため、略湾曲形状に立ち上がって直立するため、つまみ出しやすく、視覚上も良好となる。また、従来のように細長紙片としての露出ではないので、ホコリ等のティッシュペーパーへの付着度を低下させることができる。【０００７】  図９〜図１２は本発明の他例を示すものである。前例が円形の環体を用いたのに対し、これらは楕円形の環体を用いたものであり、ティッシュペーパー箱ケース上面に所定サイズの楕円孔を設け、この孔内に楕円形の環体を固着して形成される。図９は楕円環体の長軸方向とティッシュペーパー箱ケースの長辺方向とを一致させた例、図１０は９０度位置を変えた例である。
また、図１１〜図１２は環体断面を楕円形とした例であり、機能上は初例同様である。
以上の例において、環体下面はケース本体の上部内面位置よりやや下方に位置している。
これは、ティッシュペーパーを引き出すときに環体に接して引き出されるよう配慮したもので、このためティッシュペーパーの引き出し抵抗を緩和してスムースな引き出しができる。また環体は中実でも中空でもよく、その内径サイズは適宜に選択される。なお、ケースの孔に環体を固着する方式以外に、ケースと環体部分を一体に形成してもよい。
ホルダー板は両端折曲としているので、その上下を逆にすることにより、ホルダー板上面とケース本体上部内面との距離が可変となり、ティッシュペーパー箱サイズの変化に対応することができる。なお、このホルダー板の係止構造は一例であり、他の手段・方式を用いてもよい。また、ケース本体に着脱式の底部を設けることにより、市販のティッシュペーパー箱を用いずにティッシュペーパーを直接収納して利用してもよい。
以上のごとく、本発明により斬新性のある優美な形状のティッシュペーパー箱ケースを得ることができる。
【図面の簡単な説明】
【０００８】
【図１】本発明の平面図
【図２】本発明の正面図
【図３】本発明の右側面図
【図４】Ａ−Ａ断面図
【図５】Ｂ−Ｂ拡大断面図
【図６】本発明のホルダー板の平面図
【図７】本発明のホルダー板の正面図
【図８】本発明のホルダー板の右側面図
【図９】本発明の他例を示す平面図
【図１０】本発明の他例を示す平面図
【図１１】本発明の他例における要部拡大説明図
【図１２】本発明の他例における要部拡大説明図
【符号の説明】
【０００９】１    ケース本体
２    環体
３    ホルダー板
４    突起
５    ティッシュペーパー箱
６    ティッシュペーパー
１０  環体（楕円形）
１１  環体（断面楕円形）
１２  環体（断面楕円形）
【図１】
2007050927.tif 000003
【図２】
2007050927.tif 000004
【図３】
2007050927.tif 000005
【図４】
2007050927.tif 000006
【図５】
2007050927.tif 000007
【図６】
2007050927.tif 000008
【図７】
2007050927.tif 000009
【図８】
2007050927.tif 000010
【図９】
2007050927.tif 000011
【図１０】
2007050927.tif 000012
【図１１】
2007050927.tif 000013
【図１２】
2007050927.tif 000014